(57)【特許請求の範囲】
【請求項１】
電子部品と電源側部品とを電気的に接続するフレキシブル配線体を長手方向の中途部で折り曲げて折曲部を形成し、上記折曲部の内側及び外側に配設される一対の固定爪をベース部材に設け、上記一対の固定爪で両側から折曲部を保持してフレキシブル配線体をベース部材に固定するようにした電子機器のフレキシブル配線体固定構造において、
上記一対の固定爪のうち上記折曲部の外側に配置される固定爪に、上記フレキシブル配線体の折曲部の表側に重なった部分を収容する凹部を設けたことを特徴とする電子機器のフレキシブル配線体固定構造。
【請求項２】
請求項１記載の電子機器のフレキシブル配線体固定構造において、
上記一対の固定爪のうち内側に配置される内固定爪は、上記フレキシブル配線体の折曲部の内側縁に沿った２つの支持面を有し、外側に配置される外固定爪は、上記フレキシブル配線体の折曲部の外側縁に沿った２つの支持面を有し、上記外固定爪の２つの支持面の頂点を境にフレキシブル配線体の重なった側に上記凹部を設けたことを特徴とする電子機器のフレキシブル配線体固定構造。
【請求項３】
請求項１記載の電子機器のフレキシブル配線体固定構造において、
上記フレキシブル配線体は、フレキシブルフラットケーブル又はフレキシブルプリント基板であることを特徴とする電子機器のフレキシブル配線体固定構造。
【発明の詳細な説明】
【０００１】
【発明の属する技術分野】
本発明は、フレキシブルフラットケーブル（ＦＦＣ）やフレキシブルプリント基板（ＦＰＣ）等のフレキシブル配線体を用いて電子部品と電源側部品とを電気的に接続するＣＤ−ＲＯＭドライブ装置その他の電子機器に関し、特に、フレキシブル配線体の折曲部をベース部材に固定するための電子機器のフレキシブル配線体固定構造に関するものである。
【０００２】
【従来の技術】
従来の、この種の電子機器のフレキシブル配線体固定構造としては、例えば、図１４〜図２３に示すようなものが知られている。図１４は、一般的な構成を有するＣＤ−ＲＯＭドライブ装置１を示す平面図であり、図１５〜図２０は従来のフレキシブル配線体固定構造の第１の例を示し、図２１〜図２３は従来のフレキシブル配線体固定構造の第２の例を示している。
【０００３】
このＣＤ−ＲＯＭドライブ装置１はシャーシ２を備えており、このシャーシ２の上面に設けた凹陥部３内には、スピンドル軸を上に向けた状態でスピンドルモータが取り付けられている。このスピンドルモータのスピンドル軸の上端部にはターンテーブル４が取り付けられており、このターンテーブル４にはＣＤ−ＲＯＭ（コンパクトディスク−リードオンリメモリ）が情報記録ディスクＤとしてチャッキングされて再生動作に供される。更に、シャーシ２の凹陥部３内には、互いに平行をなす２本のガイド軸５ａ，５ｂによって両端をガイドされた光学ピックアップ装置６がターンテーブル４に対して接近・離反可能に配設されている。
【０００４】
この光学ピックアップ装置６は、モータと複数枚のギアとラック部材とを有する送り機構７によって凹陥部３内をスライド移動され、その移動時、情報記録ディスクＤの情報記録面に対物レンズを臨ませたヘッド部６ａによって情報信号の読み取りが行われる。このヘッド部６ａで読み込まれた情報信号は光学ピックアップ装置６で電気信号に変換され、この光学ピックアップ装置６に一端が接続されたフレキシブルフラットケーブル（以下「ＦＦケ−ブル」という。）８からドライブ装置外に取り出される。同図において９ａは、送り機構７のモータ側と電源側とを接続するＦＦケ−ブルであり、９ｂは、ディスク回転機構のスピンドルモータ側と電源側とを接続するＦＦケ−ブルである。
【０００５】
このＦＦケ−ブル８は、長手方向の中途部にて９０°に折り曲げられており、従来のフレキシブル配線体固定構造の第１例の場合には、図１５〜図２０に示すような状態で折曲部８ａがシャーシ２の裏面に固定されている。このシャーシ２の裏面には、ＦＦケ−ブル８を固定するためのケーブル固定部１０が設けられている。このケーブル固定部１０は、四角形に膨出されたテーブル状の台座１１と、この台座１１に設けられた左右一対の固定爪１２，１３とを有している。
【０００６】
一対の固定爪１２，１３のうち、ＦＦケ−ブル８の折曲部８ａの内側に配置される内固定爪１２の基部には、２つのスリットを直角に交わらせることによって形成され且つ空間側に２７０°の角度を開いて隣合う２つの支持面１２ａ，１２ｂが設けられている。また、ＦＦケ−ブル８の折曲部８ａの外側に配置される外固定爪１３の基部には、２つのスリットを角度１３５°で交わらせることによって形成され且つ空間側に１３５°の角度を開いて隣合う２つの支持面１３ａ，１３ｂが設けられている。
【０００７】
かくして、ＦＦケ−ブル８の９０°に折り曲げられた折曲部８ａは、折り曲げによって重なった側を表側にした状態で一対の固定爪１２，１３間に装着されている。このとき、ＦＦケ−ブル８の折曲部８ａは、その内側の２辺が内固定爪１２に当接され、その外側の２辺が外固定爪１３に当接されている。
【０００８】
即ち、ＦＦケ−ブル８の折曲部８ａの一端側８ｂでは、内側の辺が内固定爪１２の支持面１２ａに接触し、外側の辺は外固定爪１３の支持面１３ａに接触している。そして、ＦＦケ−ブル８の他端側８ｃでは、折曲部８ａにより位置が逆転されて内側に変化した辺が内固定爪１２の支持面１２ｂに接触し、外側の辺は外固定爪１３の支持面１３ｂに接触している。従って、ＦＦケ−ブル８は、２つの固定爪１２，１３の４つの支持面１２ａ，１２ｂ，１３ａ，１３ｂによって４面支持されている。
【０００９】
また、従来のフレキシブル配線体固定構造の第２例の場合には、図２１〜図２３に示すような状態でシャーシ２の裏面に固定されている。このシャーシ２の裏面に設けられたケーブル固定部１５には、上記２つの固定爪１２，１３に加えて第３の補助固定爪１６が設けられている。この補助固定爪１６は、スリットを左右方向へ通過させることによって設けられた１つの支持面１６ａを有し、この支持面１６ａによってＦＦケ−ブル８の他端側８ｃの外側の辺が支持されている。
【００１０】
かくして、この第２例のフレキシブル配線体固定構造の場合には、ＦＦケ−ブル８の内外固定爪１２，１３に対する上述した支持状態に加えて、ＦＦケ−ブル８の折り曲げによって外側に移動した辺が補助固定爪１６の支持面１６ａに接触している。従って、この場合のＦＦケ−ブル８は、３つの固定爪１２，１３，１６の５つの支持面１２ａ，１２ｂ，１３ａ，１３ｂ，１６ａによって５面支持されている。
【００１１】
【発明が解決しようとする課題】
しかしながら、このような従来の電子機器のフレキシブル配線体固定構造においては、４面支持された前者の場合には、ＦＦケ−ブル８の折曲部８ａの内側及び外側のそれぞれ２辺を、左右に配置された一対の固定爪１２，１３のそれぞれ２つの支持面１２ａ，１２ｂ及び１３ａ，１３ｂの合計４辺で支持して固定する構造となっていた。そのため、内固定爪１２の支持面１２ａ，１２ｂの頂点を支点としてＦＦケ−ブル８にぐらつきが生じ易く、固定側としてのシャーシ２に対する折曲部８ａの位置精度が不安定なものになっているという課題があった。
【００１２】
このような位置精度の不安定性を改善するためになされた５面支持による後者の場合には、内固定爪１２に対向させるように３つ目の補助固定爪１６を設ける構造となっていたため、補助固定爪１６を設けるためのスペースが必要となり、シャーシ２が大きくなって装置の大型化を招くという課題があった。更に、内外固定爪１２，１３にＦＦケ−ブル８の折曲部８ａを装着した後、３つ目の固定爪１６にＦＦケ−ブル８の他端側８ｃを引っ掛けて固定する必要があることから、組立作業が難しくて作業時間が長くなるという課題もあった。
【００１３】
本発明は、このような従来の課題に鑑みてなされたものであり、フレキシブル配線体を固定する２つの固定爪の一方で折曲部の表側に重なった部分を引っ掛けて固定できるようにすることにより、フレキシブル配線体の固定位置の精度が高く、折曲部をベース部材側に確実に固定することができる電子機器のフレキシブル配線体固定構造を提供することを目的としている。
【００１４】
【課題を解決するための手段】
本発明は、上述したような課題等を解決し、上記目的を達成するために、電子部品と電源側部品とを電気的に接続するフレキシブル配線体を長手方向の中途部で折り曲げて折曲部を形成し、この折曲部の内側及び外側に配設される一対の固定爪をベース部材に設け、一対の固定爪で両側から折曲部を保持してフレキシブル配線体をベース部材に固定するようにした電子機器のフレキシブル配線体固定構造において、一対の固定爪のうち折曲部の外側に配置される固定爪に、フレキシブル配線体の折曲部の表側に重なった部分を収容する凹部を設けたことを特徴としている。
【００１５】
本発明は、上述のように構成したことにより、フレキシブル配線体の折曲部をベース部材に精度良く確実に固定できると共に、固定側であるベース部材の小型化を図ることができ、更に、組立作業が簡単であって作業に長時間を要することもない。
【００１６】
【発明の実施の形態】
以下、本発明の実施の形態を添付図面を参照して説明する。図１〜図１３は本発明の一実施例を示すもので、図１〜図１０は本発明の電子機器のフレキシブル配線体固定構造を示す斜視図、底面図、正面図、平面図、側面図及びそれぞれ断面図、図１１〜図１３は本発明の電子機器のフレキシブル配線体固定構造が用いられたＣＤ−ＲＯＭドライブ装置を示す斜視図、底面図及び正面図である。尚、これらの図において、図１４〜図２３で示した従来例と同一部分には同一符号を付して説明する。
【００１７】
本実施例のフレキシブル配線体固定構造は、電子機器の一具体例を示すＣＤ−ＲＯＭドライブ装置１に適用したものである。このＣＤ−ＲＯＭドライブ装置１は、情報記録ディスクとして読出し専用のＣＤ−ＲＯＭが用いられるもので、図１１〜図１３に示すように、ベース部材の一具体例を示すシャーシ２と、このシャーシ２に搭載されるスピンドルモータ２１と光学ピックアップ装置６等を備えている。
【００１８】
シャーシ２は、合成樹脂材によって形成された板状のフレーム部材からなり、このシャーシ２の四隅には、図示しないマウントインシュレータが装着されるインシュレータ取付部２０が設けられている。このインシュレータ取付部２０に装着されるマウントインシュレータを介してシャーシ２が、ディスク再生装置等のメインシャーシに弾性的に支持される。このシャーシ２には、一部を下方へ膨出させることによって上面に開口させた凹陥部３が設けられている。この凹陥部３内にはスピンドルモータ２１が収容され、スピンドル軸を上方へ向けた状態でシャーシ２に複数本の固定ねじによって締付固定されている。
【００１９】
このスピンドルモータ２１のスピンドル軸にはターンテーブル４が取り付けられており、このターンテーブル４に情報記録ディスクが装着される。このターンテーブル４の上方には、図示しないチャッキングプレートが配設され、このチャッキングプレートで情報記録ディスクをターンテーブル４側に押圧することにより、情報記録ディスクがターンテーブル４にチャッキングされて一体的に回転駆動される。
【００２０】
更に、シャーシ２の凹陥部３内には、光学ピックアップ装置６がターンテーブル４に対して接近・離反可能に配設されている。この光学ピックアップ装置６は、情報記録ディスクの情報記録面に対面して情報信号を読み取るヘッド部としてのピックアップ部６ａと、このピックアップ部６ａを搭載してシャーシ２にスライド移動可能に支持されたスライド本体６ｂ等を備えている。この光学ピックアップ装置６のスライド本体６ｂには、半導体レーザ、対物レンズその他のレンズ、光検出器等が取り付けられている。
【００２１】
この光学ピックアップ装置６は電子部品の一具体例を示すもので、その端子が電気接続されたプリント基板にはＦＦ（フレキシブルフラット）ケーブル８の一端が接続されている。このＦＦケーブル８は、フレキシブル配線体の一具体例を示すもので、この他にもフレキシブルプリント基板（ＦＰＣ）、その他の帯状或いはリボン状の配線ケーブルを用いることができる。
【００２２】
この光学ピックアップ装置６に関連してシャーシ２には、情報記録ディスクの半径方向にスライド本体６ｂをスライド移動させるためのラックピニオン式の送り機構３０が設けられている。この送り機構３０は、シャーシ２に固定される駆動源としての送りモータ３１と、互いに平行に設けられ且つスライド本体６ｂを摺動可能に支持する２本のガイド軸３２ａ，３２ｂと、スライド本体６ｂに一体的に設けられたラック部材３３と、送りモータ３１の回転力をラック部材３３に伝達して光学ピックアップ装置６を移動させる送りギア列３４等を備えている。
【００２３】
送り機構３０の２本のガイド軸３２ａ，３２ｂは、凹陥部３の幅方向両側において長手方向に延在させて設けられており、これらのガイド軸３２ａ，３２ｂには、スライド本体６ｂの両端に設けられた軸受部３５が摺動可能に係合されている。ラック部材３３は、それらの歯がガイド軸３２ａと平行に延びるように設けられていて、シャーシ２に回転自在に支持された駆動ギア３４ａが噛合されている。この駆動ギア３４ａには、同じくシャーシ２に回転自在に支持された中間ギア３４ｂの小歯車が噛合されており、この小歯車と一体の大歯車には、送りモータ３１の回転軸に取り付けられた出力ギアが噛合されている。この出力ギアと中間ギア３４ｂの大小歯車と駆動ギア３４ａとによって送りギア列３４が構成されている。
【００２４】
かくして、送りモータ３１を駆動してその回転力を送りギア列３４からラック部材３３に伝達することにより、送りモータ３１の回転方向に応じてスライド本体６ｂが、ターンテーブル４に対して接近し、又は離反するように移動する。これにより、ターンテーブル４にチャッキングされて回転駆動される情報記録ディスクの半径方向に光学ピックアップ装置６がスライド移動して、スライド本体６ｂに搭載されたピックアップ部６ａによる情報信号の読取りが行われる。
【００２５】
この送り機構３０の送りモータ３１の端子が電気接続されたプリント基板には、ＦＦケーブル９ａの一端が接続されている。また、スピンドルモータ２１の端子が電気接続されたプリント基板には、ＦＦケーブル９ｂの一端が接続されている。そして、これらＦＦケーブル９ａ，９ｂの他端側はシャーシ２の底面側に引き回され、その底面に設けられた穴から裏面側に引き出されている。
【００２６】
また、光学ピックアップ装置６に一端が接続されたＦＦケーブル８の他端側は、シャーシ２の底面側に引き出されたところで９０°に折り曲げられ、この折曲部８ａから先端側が他のＦＦケーブル９ａ，９ｂと平行となるように配線されている。そして、このＦＦケーブル８は、図１２及び図１〜図１０に示すような状態で折曲部８ａをケーブル固定部４０に係合支持することにより、シャーシ２の裏面に着脱可能に支持固定されている。
【００２７】
このケーブル固定部４０は、シャーシ２の裏面に一体に設けられており、四角形に膨出されたテーブル状の台座４１と、この台座４１に設けられた左右一対の固定爪４２，４３とを有している。
【００２８】
一対の固定爪４２，４３のうち、ＦＦケ−ブル８の折曲部８ａの折り曲げ側である内側に配置される内固定爪４２の基部（台座４１側）には、２つの固定爪４２，４３を結ぶ方向（Ｙ方向）とこれに直交する方向（Ｘ方向）とに延びるスリット４４ａ，４４ｂが設けられている。これらのスリット４４ａ，４４ｂによって内固定爪４２には、空間側に２７０°の角度を開いて隣合う２つの支持面４２ａ，４２ｂと、これらの支持面４２ａ，４２ｂ側に庇のように突出された爪部４２ｃとが設けられている。これらスリット４４ａ，４４ｂの幅は、ＦＦケ−ブル８の折曲部８ａの厚みよりも若干広く設定されている。
【００２９】
また、ＦＦケ−ブル８の折曲部８ａの反折り曲げ側である外側に配置される外固定爪４３の基部には、Ｘ方向に延びるスリット４５ａと、このスリット４５ａが延びる方向に対して角度１３５°で交差する方向に延びるスリット４５ｂとが設けられている。これらのスリット４５ａ，４５ｂによって外固定爪４３には、空間側に１３５°の角度を開いて隣合う２つの支持面４３ａ，４３ｂと、これらの支持面４３ａ，４３ｂ側に庇のように突出された爪部４３ｃとが設けられている。
【００３０】
これらスリット４５ａ，４５ｂのうち、一方のスリット４５ｂの幅は、スリット４４ａ，４４ｂの幅と同程度に設定する。これに対して、他方のスリット４５ａの幅は、一方のスリット４５ｂの幅よりも若干狭く形成し、これにより、２つの支持面４３ａ，４３ｂが交わる線を一方の側縁としてＹ方向に延びる段部を有する凹部４６を形成する。この凹部４６には、ＦＦケ−ブル８の折り曲げによって形成された折曲部８ａの表側に重なった部分が係合される。この凹部４６の段部が、外側に配置される外固定爪４３に設けられた５つ目の支持面をなしている。尚、図２等に示す、４７及び４８は、固定爪４２，４３を成形するために設けた成形用穴である。
【００３１】
このような構成を有するケーブル固定部４０にＦＦケ−ブル８の折曲部８ａを組付ける作業は、例えば、次のようにして簡単に行うことができる。まず、図２において破線で示すように、ＦＦケ−ブル８の折曲部８ａの外側の辺をＸ方向と平行にして、折曲部８ａの内側の交差部分を内固定爪４２の爪部４２ｃ内に差し込む。このとき、内固定爪４２の爪部４２ｃの隙間は、図３及び図７等に示すように、スリット４４ａ，４４ｂによって形成された比較的細い溝であるが、折曲部８ａを斜め方向から挿入することによって簡単に行うことができる。
【００３２】
次に、折曲部８ａの内側を中心にしてＦＦケ−ブル８の全体を、図２において反時計方向Ｔに回動させ、折曲部８ａを外固定爪４３の爪部４３ｃの下に差し込む。このとき、外固定爪４３の爪部４３ｃの隙間は、図６及び図８等に示すように、スリット４５ａによって形成された極めて細い溝であるが、ＦＦケ−ブル８の回動方向がスリット４５ａの延在方向と平行であるため、極めて簡単に挿入することができる。
【００３３】
そして、ＦＦケ−ブル８の折曲部８ａが幅狭のスリット４５ａ内に深く入り込み、このスリット４５ａ内を通過して幅広のスリット４５ｂ側に入り込むと、折曲部８ａの折り曲げによって重なった部分が凹部４６に係合される。その結果、ＦＦケ−ブル８が角度４５°を回転変位して、図２において破線で示す状態から二点鎖線で示す状態に変化する。これにより、シャーシ２のケーブル固定部４０に対するＦＦケ−ブル８の折曲部８ａの固定作業が完了する。
【００３４】
かくして、ＦＦケ−ブル８の９０°に折り曲げられた折曲部８ａは、折り曲げによって重なった側を表側にした状態で一対の固定爪４２，４３間に装着され、これら固定爪４２，４３の５つの支持面４２ａ，４２ｂ，４３ａ，４３ｂ，４６によって固定される。即ち、このＦＦケ−ブル８は、折曲部８ａの内側の２辺が内固定爪４２の支持面４２ａ，４２ｂに当接され、外側の２辺は外固定爪４３の支持面４ａ，４２ｂに当接されると共に、凹部４６に係合されて段部に当接される。これにより、ＦＦケ−ブル８の折曲部８ａを確実に固定することができ、固定位置の変動による位置精度の不安定性をなくすことができる。
【００３５】
このような折曲部８ａの固定状態において、ＦＦケ−ブル８の一端側８ｂに、図２においてＸ方向に向かう外力Ｆｘが作用したものとする。この場合、ＦＦケ−ブル８の一端側８ｂに外力Ｆｘを作用させて引っ張ると、折曲部８ａのＹ方向に延びる内側の辺が内固定爪４２の支持面４２ｂと、外固定爪４３の凹部４６の面とに引っ掛かり、これらの支持面４２ｂ及び凹部４６によって一端側８ｂに作用する外力Ｆｘが受けられる。
【００３６】
このように、Ｘ方向の外力Ｆｘに対しては、ＦＦケ−ブル８の幅方向両側の辺が左右の固定爪４２，４３に係合して折曲部８ａの移動を阻止するため、両固定爪４２，４３に対してぐらつくことなく固定される。従って、ケーブル固定部４０からの折曲部８ａの抜け出しが防止され、位置精度を安定性良く維持することができる。
【００３７】
次に、折曲部８ａの同様の固定状態において、ＦＦケ−ブル８の他端側８ｃに、図２においてＹ方向に向かう外力Ｆｙが作用したものとする。この場合には、ＦＦケ−ブル８の他端側８ｃに外力Ｆｙを作用させて引っ張ると、折曲部８ａのＸ方向に延びる内側の辺が内固定爪４２の支持面４２ａに引っ掛かると共に、同じく内側の辺が外固定爪４３の凹部４６の段部に引っ掛かる。そして、これらの支持面４２ａ、特に凹部４６の段部によって他端側８ｃに作用する外力Ｆｙが受けられるため、折曲部８ａがぐらつくことなく固定される。従って、このように外力Ｆｙが作用した場合にも、折曲部８ａを動かないようにしてケーブル固定部４０からの折曲部８ａの抜け出しを防止し、位置精度を安定性良く維持することができる。
【００３８】
以上説明したが、本発明は上記実施例に限定されるものではなく、例えば、上記実施例においては、本発明に係るフレキシブル配線体構造を情報記録ディスクとして再生専用のＣＤ−ＲＯＭを用いたＣＤ−ＲＯＭドライブ装置の光学ピックアップ装置のフレキシブルフラットケーブルに適用した例について説明したが、送りモータ３１用のＦＦケーブル９ａやスピンドルモータ２１用のＦＦケーブル９ｂ等に適用することができることは勿論である。更に、ＣＤ−ＲＯＭドライブ装置の他にも、ＣＤ（コンパクトディスク）プレーヤ装置、ＬＤ（レーザディスク）プレーヤ装置、ＤＶＤ（ディジタルビデオディスク）ドライブ装置等は勿論のこと、一度だけ書けるライトワンス型や何度でも再書込みが可能なリライタブル型の光磁気ディスク等を用いるＣＤ−Ｒ（レコーダブル）レコーダ装置、ＭＤ（ミニディスク）トライブ装置、ＭＯ（光磁気記録）ドライブ装置、ＨＤ（ハードディスク）トライブ装置その他各種の電子装置に適用することができる。
【００３９】
また、上記実施例においては、ＦＦケーブル８の曲げ角度を９０°に設定した例について説明したが、この角度に限定されるものではなく、例えば４５°、６０°、１０５°、１３５°等のように任意の角度に設定できるものである。更に、内外固定爪４２，４３の形状は、本実施例に示した四角形に限定されるものではなく、円形、六角形、その他各種の形状を適用することができる。そして、内外固定爪４２，４３の材質についても同様であり、合成樹脂は勿論のこと、板金、セラミックス、その他を適用することができ、製法等についても特に限定されるものではない。
【００４０】
更に、外固定爪４３に設けられた凹部４６の深さは、折曲部８ａの折り曲げによって重なった部分を係合して支持固定できるものであればよく、また、スリット４４ａ，４４ｂ，４５ａ，４５ｂの幅についても適宜に設定できるものである。このように、本発明は、その趣旨を逸脱しない範囲で種々変更できるものである。
【００４１】
【発明の効果】
以上説明したように、本発明によれば、折曲部の外側に配置される固定爪に、フレキシブル配線体の折曲部の表側に重なった部分を収容する凹部を設ける構造としたため、フレキシブル配線体の折曲部を動かないようにしてベース部材に確実に固定することができ、固定位置の変動による位置精度の不安定性をなくして、固定側に対する位置精度を飛躍的に向上させることができる。
【００４２】
しかも、従来のように位置精度の不安定性を改善するための３つ目の固定爪を必要としないために、構造が複雑になるのを防ぐことができると共に、３つ目の固定爪のためのスペースを必要としない分、ベース部材等の固定側の小型化を図ることができる。更に、フレキシブル配線体を２つの固定爪に引っ掛けて固定するだけであるため、その固定作業を極めて簡単に行うことができ、その作業に時間がかかることがないという効果を得ることができる。
【図面の簡単な説明】
【図１】本発明に係る電子機器のフレキシブル配線体固定構造の一実施例を示すもので、図１２のケーブル固定部を拡大して示す斜視図である。
【図２】図１に示すケーブル固定部の底面図である。
【図３】図１に示すケーブル固定部の正面図である。
【図４】図１に示すケーブル固定部の平面図である。
【図５】図１に示すケーブル固定部の側面図である。
【図６】図２に示すケーブル固定部のＡ−Ａ線断面図である。
【図７】図２に示すケーブル固定部のＢ−Ｂ線断面図である。
【図８】図２に示すケーブル固定部のＣ−Ｃ線断面図である。
【図９】図２に示すケーブル固定部のＤ−Ｄ線断面図である。
【図１０】図２に示すケーブル固定部のＥ−Ｅ線断面図である。
【図１１】本発明に係る電子機器のフレキシブル配線体固定構造が用いられたＣＤ−ＲＯＭドライブ装置を示す斜視図である。
【図１２】図１１に示すＣＤ−ＲＯＭドライブ装置の底面図である。
【図１３】図１１に示すＣＤ−ＲＯＭドライブ装置の正面図である。
【図１４】従来のＣＤ−ＲＯＭドライブ装置を示す平面図である。
【図１５】従来の電子機器のフレキシブル配線体固定構造の第１例を示す斜視図である。
【図１６】図１５に示すケーブル固定部の底面図である。
【図１７】図１５に示すケーブル固定部の正面図である。
【図１８】図１６に示すケーブル固定部のＡ−Ａ線断面図である。
【図１９】図１６に示すケーブル固定部のＢ−Ｂ線断面図である。
【図２０】図１６に示すケーブル固定部のＣ−Ｃ線断面図である。
【図２１】従来の電子機器のフレキシブル配線体固定構造の第２例を示す底面図である。
【図２２】図２１に示すケーブル固定部の正面図である。
【図２３】図２１に示すケーブル固定部のＡ−Ａ線断面図である。
【符号の説明】
１  ＣＤ−ＲＯＭドライブ装置（電子機器）、  ２  シャーシ（ベース部材）、  ６  光学ピックアップ装置（電子部品）、  ８  フレキシブルフラットケーブル（フレキシブル配線体）、  ８ａ  折曲部、  ８ｂ  一端側、  ８ｃ  他端側、  ４０  ケーブル固定部、  ４１  台座、  ４２  内固定爪（固定爪）、  ４３  外固定爪（固定爪）、  ４２ａ，４２ｂ，４３ａ，４３ｂ  支持面、  ４２ｃ，４３ｃ  爪部、  ４４ａ，４４ｂ，４５ａ，４５ｂ  スリット、  ４６  凹部
【図１】
0003852151.tif 000002
【図２】
0003852151.tif 000003
【図３】
0003852151.tif 000004
【図４】
0003852151.tif 000005
【図５】
0003852151.tif 000006
【図６】
0003852151.tif 000007
【図７】
0003852151.tif 000008
【図８】
0003852151.tif 000009
【図９】
0003852151.tif 000010
【図１０】
0003852151.tif 000011
【図１１】
0003852151.tif 000012
【図１２】
0003852151.tif 000013
【図１３】
0003852151.tif 000014
【図１４】
0003852151.tif 000015
【図１５】
0003852151.tif 000016
【図１６】
0003852151.tif 000017
【図１７】
0003852151.tif 000018
【図１８】
0003852151.tif 000019
【図１９】
0003852151.tif 000020
【図２０】
0003852151.tif 000021
【図２１】
0003852151.tif 000022
【図２２】
0003852151.tif 000023
【図２３】
0003852151.tif 000024